(57)【特許請求の範囲】
【請求項１】
ＧＰＳ機能を有する無線ＬＡＮ対応携帯端末と、複数の無線ＬＡＮ基地局と、電話基地局と、１又は複数のサーバ（以下「サーバ（ズ）」と言う。）を有する携帯端末用広告システムであって、
当該サーバ（ズ）は、広告データ記録手段、ユーザ情報記録手段、マッチング手段、マッチング済み広告データ記録手段、携帯端末位置特定手段、送信広告データ選別手段、及び、広告データ送信手段を有し、
当該広告データ記録手段は、広告提供者から提供された広告データを記録し、
当該ユーザ情報記録手段は、当該無線ＬＡＮ対応携帯端末のユーザ(以下「携帯端末ユーザ」と言う。)があらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信し、
当該無線ＬＡＮ対応携帯端末は、当該送信された広告データを記録し、かつ、随時更新し、当該携帯端末ユーザが当該無線ＬＡＮ対応携帯端末を操作した際に記録されている当該広告データを音声、テキスト、又は画像によって表示する携帯端末用広告システム。
【請求項２】
ＧＰＳ機能を有する無線ＬＡＮ対応携帯端末と、複数の無線ＬＡＮ基地局と、電話基地局と、サーバ（ズ）を有する携帯端末用広告システムを構成する当該サーバ（ズ）であって、
当該サーバ（ズ）は、広告データ記録手段、ユーザ情報記録手段、マッチング手段、マッチング済み広告データ記録手段、携帯端末位置特定手段、送信広告データ選別手段、及び、広告データ送信手段を有し、
当該広告データ記録手段は、広告提供者から提供された広告データを記録し、
当該ユーザ情報記録手段は、携帯端末ユーザがあらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信するサーバ（ズ）。
【請求項３】
ＧＰＳ機能を有する無線ＬＡＮ対応携帯端末と、複数の無線ＬＡＮ基地局と、電話基地局と、サーバ（ズ）と、広告提供者の端末を有する携帯端末用双方向広告システムであって、
当該サーバ（ズ）は、広告データ記録手段、ユーザ情報記録手段、マッチング手段、マッチング済み広告データ記録手段、携帯端末位置特定手段、送信広告データ選別手段、広告データ送信手段、及び、反応情報送受信手段を有し、
当該広告データ記録手段は、広告提供者から提供された広告データを記録し、
当該ユーザ情報記録手段は、携帯端末ユーザがあらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信し、
当該無線ＬＡＮ対応携帯端末は、当該送信された広告データを記録し、かつ、随時更新し、当該携帯端末ユーザが当該無線ＬＡＮ対応携帯端末を操作した際に記録されている当該広告データを音声、テキスト、又は画像によって表示し、
当該反応情報送受信手段は、当該送信された広告データに対して当該携帯端末ユーザが当該無線ＬＡＮ対応携帯端末を用いてイベントの座席の予約や特売商品の購入予約等の反応を行ったときに、その反応に関する情報を受信し、当該送信された広告データの広告提供者の端末に送信する携帯端末用双方向広告システム。  
【請求項４】
ＧＰＳ機能を有する無線ＬＡＮ対応携帯端末と、複数の無線ＬＡＮ基地局と、電話基地局と、サーバ（ズ）と、広告提供者の端末を有する携帯端末用双方向広告システムを構成するサーバ（ズ）であって、
当該サーバ（ズ）は、広告データ記録手段、ユーザ情報記録手段、マッチング手段、マッチング済み広告データ記録手段、携帯端末位置特定手段、送信広告データ選別手段、広告データ送信手段、及び、反応情報送受信手段を有し、
当該広告データ記録手段は、広告提供者から提供された広告データを記録し、
当該ユーザ情報記録手段は、携帯端末ユーザがあらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信し、
当該反応情報送受信手段は、当該送信された広告データに対して当該携帯端末ユーザが当該無線ＬＡＮ対応携帯端末を用いてイベントの座席の予約や特売商品の購入予約等の反応を行ったときに、その反応に関する情報を受信し、当該送信された広告データの広告提供者の端末に送信するサーバ（ズ）。  
【発明の詳細な説明】
【技術分野】
【０００１】
本発明は、携帯端末ユーザのニーズに適合し、かつ、携帯端末が今まさに存在する位置に応じた広告をその携帯端末に送信する広告システム、及び、それに加えてその携帯端末が受信した広告内容に携帯端末ユーザが簡便に応答できる双方向広告システム、並びに、それらに用いられるサーバに関するものである。
【背景技術】
【０００２】
携帯電話、ノートブックパソコン等、携帯端末の広範な普及に伴い、それらを利用するモバイル広告市場は堅調に拡大している。その中でも携帯電話の普及はめざましく、現在日本において約1億台が使用されている。
【０００３】
日本における２００６年のインターネット広告市場の規模は３，６３０億円であり、そのうち携帯端末に表示されるモバイル広告は３９０億円（約１１％）を占めているが、携帯電話をはじめとする携帯端末の増加に伴い、その規模は一層拡大すると考えられる。
【０００４】
特許文献1には、携帯可能な端末を利用して、電子メールに広告データを添付する技術が開示されている。
これらは、Ｗｅｂページ上に置く従来のバナー広告などに比べて、添付した広告に注目される確率が高いので、広告を提供するクライアント(以下、「広告提供者」という。)にとって費用対効果が優れているといえる。
【特許文献１】特開２０００−２７６４１９号公報
【０００５】
しかし、この方法では、その電話局、あるいは、そのプロバイダーを利用するすべての携帯端末ユーザに同じ広告を送るため、電子メールのユーザにとってはあまり興味のない多数の広告が送られてきて煩雑な一方、そのシステムの中で送信できる広告の数が限られ、それだけに広告提供者が負担すべき費用が高くなり、そのわりに広告の寄与度が低いという問題がある。
【０００６】
広告の寄与度を高めるためにまず第一に考えられることは、携帯端末ユーザが受信を希望する広告、すなわち、携帯端末ユーザのニーズに適合した広告をその携帯端末に送り込むことである。
特許文献２には、顧客のＷｅｂアクセス情報や、顧客が入力したキーワードを基に顧客の趣味趣向を分析し、データベースに収納された広告データの中からその趣味趣向にあった広告データを抽出して配信する技術が開示されている。
【特許文献２】特開２００４−３５５３０１号公報
【０００７】
特許文献２のシステムは、広告の対象が広い地域に関連するもの、たとえば、全国的に販売されている商品等の場合であって、その製造者がその商品に関する情報や広告を興味を抱く消費者に対し選択的に送り出すには優れている方法であろう。携帯端末に広告を流す場合にも、全国的に売られている商品の場合には、この技術を活用することもできよう。
【０００８】
しかし、飲食店や商店、あるいは、そのときにまさに行われているイベント等を広告する場合には、携帯端末ユーザが今いる場所から遠く離れた店やイベント会場の広告を表示しても、意味をなさず、広告の寄与度に貢献できない。この様なケースでは、広告の寄与度を高めるために次に考えるべきことは、その携帯端末ユーザが今いる場所の近くに関連する広告を携帯端末に送り込むことである。
【０００９】
特許文献３は、現在位置検出手段を有するナビゲーションシステムを対象に、あらかじめ設けられた広告提供道路区間に対応して登録されている広告情報のうち、その車両の現在位置に対応する広告提供道路区間の広告情報を配信する技術を開示している。
また、特許文献４は、情報通信装置を備えた車載ナビゲーション装置を用い、車両の走行位置だけではなく、ユーザのそれまでの操作走行履歴や運転傾向を把握して、ユーザの潜在ニーズに合致した広告を配信する技術を開示している。
【特許文献３】特開２００２−２８８５１８号公報
【特許文献４】特開２００４−２０１１９４号公報
【００１０】
これらの技術は、ユーザの趣味趣向に適合する広告であって、かつ、ユーザが今いる場所に関連する広告データを提供しようとするものではあるが、機動力のある車両の搭乗者を対象にするものであるから、その場所に関連する広告データを送信すると言っても、その対象となる広告データは、その車両が現在走行している地域、あるいは、その車両が向かっている地域等、地域的にかなりの広がりがあるものすべてが該当し、細かく現在の車両の位置の付近に限定する必要がなく、あらかじめ適当な広さの広告提供道路区間を線引きして、その中に入ってきた車両に提供すればよい。
【００１１】
しかし、一般の携帯端末ユーザの多くは、徒歩、バス、電車等を多用する人であり、その行動半径はかなり小さい。
たとえば、東京都江東区の商店街にあるスーパーマーケットのＳａｌｅの広告を東京駅付近を歩いている携帯端末ユーザが見ても、いかにそのＳａｌｅの対象商品がその携帯端末ユーザの求める品であっても無用な広告であろう。
【００１２】
この様なケースを考えると、携帯端末ユーザのニーズに適合した広告で、かつ、携帯端末が存在する場所に対応する広告、特に、その携帯端末ユーザが今まさにいる場所の極く近くの場所に関連する広告を選んで送ることができれば、携帯端末ユーザにとって有用である。
一方、広告提供者にとっても、これができれば極めて寄与度の高い広告を流せるだけでなく、店やイベント会場の極く近くにのみ広告を流せれば良いのであるから、一つのシステムに載せて送信できる広告の数が増えるので一広告提供者が負担する費用が下がり、その両面から費用対効果の向上が図られる。
【００１３】
その際に、広告を送るシステム側にとっては選択的に広告を流す特別な人為的操作が必要でなく、携帯端末ユーザにとっては広告を見るための特別な操作も必要がないことが、広告を確実に届けるに当たり肝要である。
【００１４】
さらに、携帯端末に表示される広告の内容を見て、座席の予約をしたり、特売商品の購入予約を携帯端末の操作で容易にできるように双方向性を持たせれば、広告の一層の効果が期待できると考えられる。
【発明の開示】
【発明が解決しようとする課題】
【００１５】
本発明は、携帯端末ユーザのニーズに適合し、かつ、携帯端末ユーザが今いる場所の極く近くの場所に関連する広告をその携帯端末に送信することにより、携帯端末ユーザにとって有用な広告に接することができるだけでなく、広告提供者にとって広告の寄与度が高く、費用が節約できる広告システムであって、広告を送る側にとっては選択的に広告を流す特別な人為的操作が必要でなく、携帯端末ユーザにとっては広告を見るための特別な操作も必要がないシステム、及び、それに加えてその携帯端末が受信した広告内容に携帯端末ユーザが簡便に応答できる双方向広告システム、および、それらを構成するサーバを提供するものある。
【課題を解決するための手段】
【００１６】
上記課題を解決するため、本発明は、ＧＰＳ機能を有する無線ＬＡＮ対応携帯端末と、複数の無線ＬＡＮ基地局と、電話基地局と、１又は複数のサーバ（以下「サーバ（ズ）」と言う。）を有する携帯端末用広告システムであって、
当該サーバ（ズ）は、広告データ記録手段、ユーザ情報記録手段、マッチング手段、マッチング済み広告データ記録手段、携帯端末位置特定手段、送信広告データ選別手段、及び、広告データ送信手段を有し、
当該広告データ記録手段は、広告提供者から提供された広告データを記録し、
当該ユーザ情報記録手段は、当該無線ＬＡＮ対応携帯端末のユーザ(以下「携帯端末ユーザ」と言う。)があらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信し、
当該無線ＬＡＮ対応携帯端末は、当該送信された広告データを記録し、かつ、随時更新し、当該携帯端末ユーザが当該無線ＬＡＮ対応携帯端末を操作した際に記録されている当該広告データを音声、テキスト、又は画像によって表示する携帯端末用広告システムである。
【００１７】
また、本発明は、上記携帯端末用広告システムを構成する当該サーバ（ズ）である。
【００１８】
無線ＬＡＮ対応携帯端末のユーザは、その携帯端末や手持ちのパソコンを用いて、あるいは、携帯電話ショップにて、あらかじめ受信を希望する広告のジャンルを登録することができる。登録された情報は本広告システムのユーザ情報記録手段に記録される。興味のない広告の送信を受けるのは煩雑であるし、また、本来自分が見たい広告を見逃す可能性が高くなるからである。一方、広告提供者にとっては、この登録情報に合致する広告を送信することにより携帯端末ユーザに興味のある広告を提供できることになり広告の寄与度を高めることができる。
【００１９】
また、携帯端末ユーザがその無線ＬＡＮ対応携帯端末を用いてモバイル決済をしたときには、その情報が同様にユーザ情報記録手段に記録される。なにを購入したかの情報は、携帯端末ユーザがまさに興味を有するものの情報にほかならないからである。
【００２０】
受信を希望する広告のジャンルの登録が更新されたとき、あるいは、新たにモバイル決済が行われたときには、ユーザ情報は随時更新される。
【００２１】
広告提供者により提供された広告データは本広告システムの広告データ記録手段に記録される。本広告システムのマッチング手段は、この広告データ記録手段に記録されている広告データの中から、ユーザ情報記録手段に記録されているユーザ情報を用いて、その携帯端末ユーザが受信を希望するジャンルの広告データ、あるいは、モバイル決済した情報に関連する広告データを検索し、それをマッチング済み広告データ記録手段に送り、マッチング済み広告データ記録手段はそれを記録する。
【００２２】
この様に、ユーザ情報に基づいてマッチングを終えた広告データをマッチング済み広告データ記録手段に一旦記録しておくことにより、以下に説明する位置の情報に基づいて送信すべき広告データを選別する作業を短時間で行うことができ、携帯端末ユーザがその無線ＬＡＮ基地局の送受信可能域、いわゆる、ホットスポット内にいる短時間の中でタイミング良く適切な広告データを無線ＬＡＮ対応携帯端末に送信することができる。
【００２３】
携帯端末ユーザがある特定の無線ＬＡＮ基地局のホットスポットに入ると、その無線ＬＡＮ基地局との間でデータ送受信可能状態となり、その無線ＬＡＮ対応携帯端末とデータ送受信可能状態になった旨の情報が携帯端末位置特定手段に送られる。
携帯端末位置特定手段はこの情報からその携帯端末の位置に対応する無線ＬＡＮ基地局を特定する。
【００２４】
送信広告データ選別手段は、マッチング済み広告データ記録手段に記録されている広告データの中から、この様にして特定された無線ＬＡＮ対応携帯端末の位置に関連する広告データを選別し、広告データ送信手段に送る。
【００２５】
広告データ送信手段は、送信広告データ選別手段が選別した広告データを、その無線ＬＡＮ対応携帯端末が今データ送受信可能状態になっているその特定の無線ＬＡＮ基地局を通じてその携帯端末に送信する。無線ＬＡＮ基地局への送信は電話基地局を経由して行われる。
【００２６】
無線ＬＡＮ対応携帯端末は送信を受けた広告データを記録し、かつ、新しい広告データの送信を受けたときには上書きをして随時更新する。そして、携帯端末ユーザが無線ＬＡＮ対応携帯端末を操作した際に、記録されている広告データを音声、テキスト、又は画像によって表示する。例えば、携帯端末ユーザが電話をかけたときに、その発信音として広告を流したり、ＬＣＤ画面上にテキスト又は画像としての広告を表示したり、メールの末尾にテキスト広告を挿入したりする。
【００２７】
無線ＬＡＮ基地局のホットスポットは半径１００ｍ程度であるから、携帯端末ユーザが今いる位置をカバーするホットスポットを有する無線ＬＡＮ基地局から、その近くに関連する広告を携帯端末に送り込めば、徒歩、バス、電車、あるいは、タクシーなどにより移動している携帯端末ユーザは容易に広告提供者の店やイベント会場に足を運ぶことができる。
【００２８】
この広告システムは、無線ＬＡＮの通信エリアの狭さという特性を利用して究極のスポット広告を容易に達成することができる。広告提供者は提供する広告の内容によって、一つ又は複数の無線ＬＡＮ基地局を選んで契約することにより、極く小さなエリアから、大きなエリアまで、広告を提供する地域を選ぶことができる。エリアを選択的に限定することにより、一つの広告システムに載せて送信できる広告の数が大幅に増えるので、各広告提供者が負担する費用が低減できる。
【００２９】
携帯端末ユーザが移動して他の無線ＬＡＮ基地局のホットスポット内に入れば、携帯端末位置特定手段はあらたにその位置を特定し、送信広告手段が機能して、必要に応じ新たな広告データがその無線ＬＡＮ対応携帯端末に送信される。
【００３０】
一方、本無線ＬＡＮ対応携帯端末はＧＰＳ機能を有しているから、ＧＰＳ機能による位置情報がそのエリアを通信圏とする電話基地局から携帯端末位置特定手段に送られる。
携帯端末ユーザがいずれの無線ＬＡＮ基地局のホットスポット内にも入っていない場合には、携帯端末位置特定手段がＧＰＳ機能による位置情報に基づいて特定した位置に最も近い無線ＬＡＮ基地局を特定の無線ＬＡＮ基地局と見なして上述の送信広告データの選別を行う。
【００３１】
携帯端末に送信される広告は、あらかじめ携帯端末ユーザの受信を希望するジャンルの広告、あるいは、携帯端末ユーザがモバイル決済した情報に基づきマッチング手段で検索されたものであるから、携帯端末ユーザのニーズに適合しており、また、携帯端末ユーザにとっては、広告を見るために何ら特別な操作を必要としないので手間がかからず、確実に受け取ることになり、本広告システムにより送信される広告データは高い寄与度が期待できる。
【００３２】
一方、本広告システムを採用することにより、広告を送る側にとっては、携帯端末ユーザのニーズに適合した広告で、かつ、その携帯端末ユーザが今まさにいる場所の極く近くの場所に関連する広告を特別な人為的操作をすることなく選択的に送ることができる。
【００３３】
一方、本広告システムを構成するサーバ（ズ）は１台で、広告データ記録手段、ユーザ情報記録手段、マッチング手段、マッチング済み広告データ記録手段、及び、広告データ送信手段すべてを有しても良いし、複数台でこれら手段を分担して有しても良い。一般的には、これら各手段をそれぞれ１台のサーバが担当し、かつ、それらに付随する手段のサーバ、それらのミラーリングサーバやバックアップサーバなど数多くのサーバにより構成されることになろう。
【００３４】
さらに、本発明は、ＧＰＳ機能を有する無線ＬＡＮ対応携帯端末と、複数の無線ＬＡＮ基地局と、電話基地局と、サーバ（ズ）と、広告提供者の端末を有する携帯端末用双方向広告システムであって、
当該サーバ（ズ）は、広告データ記録手段、ユーザ情報記録手段、マッチング手段、マッチング済み広告データ記録手段、携帯端末位置特定手段、送信広告データ選別手段、広告データ送信手段、及び、反応情報送受信手段を有し、
当該広告データ記録手段は、広告提供者から提供された広告データを記録し、
当該ユーザ情報記録手段は、携帯端末ユーザがあらかじめ登録した受信を希望する広告のジャンル、及び、当該携帯端末ユーザがモバイル決済をした情報を記録し、かつ、随時更新し、
当該マッチング手段は、当該広告データ記録手段に記録された広告データの中で、当該携帯端末ユーザがあらかじめ登録した受信を希望するジャンルの広告データ、あるいは、当該携帯端末ユーザがモバイル決済をした情報に関連する広告データを検索し、
当該マッチング済み広告データ記録手段は、当該マッチング手段が検索したマッチング済み広告データを記録し、
当該携帯端末位置特定手段は、当該無線ＬＡＮ対応携帯端末がある特定の無線ＬＡＮ基地局のホットスポット内において、当該無線ＬＡＮ基地局とデータ送受信可能状態にあるときには、当該データ送受信可能状態にある特定の無線ＬＡＮ基地局からその旨の情報を得ることにより当該無線ＬＡＮ対応携帯端末の位置に対応する無線ＬＡＮ基地局を特定し、当該無線ＬＡＮ対応携帯端末がいずれの無線ＬＡＮ基地局のホットスポット内になく、いずれの無線ＬＡＮ基地局とも送受信可能状態にないときには、当該無線ＬＡＮ対応携帯端末がその通信圏内にある電話基地局からＧＰＳ機能による位置情報を受信して、最も近い無線ＬＡＮ基地局を特定し、
当該送信広告データ選別手段は、当該特定された無線ＬＡＮ基地局に関連する広告データを当該マッチング済み広告データ記録手段に記録された広告データの中から選別し、
当該広告データ送信手段は、当該送信広告データ選別手段が選別した広告データを、当該電話基地局及び当該特定の無線ＬＡＮ基地局を通じて当該無線ＬＡＮ対応携帯端末に送信し、
当該無線ＬＡＮ対応携帯端末は、当該送信された広告データを記録し、かつ、随時更新し、当該携帯端末ユーザが当該無線ＬＡＮ対応携帯端末を操作した際に記録されている当該広告データを音声、テキスト、又は画像によって表示し、
当該反応情報送受信手段は、当該送信された広告データに対して当該携帯端末ユーザが当該無線ＬＡＮ対応携帯端末を用いてイベントの座席の予約や特売商品の購入予約等の反応を行ったときに、その反応に関する情報を受信し、当該送信された広告データの広告提供者の端末に送信する携帯端末用双方向広告システムである。
【００３５】
また、本発明は、上記携帯端末用双方向広告システムを構成する当該サーバ（ズ）であ
る。
【００３６】
すなわち、上述の広告システムに双方向性を付加した広告システム、及び、それを構成するサーバ（ズ）である。
【００３７】
本双方向広告システムを構成するサーバ（ズ）の広告送信手段から無線ＬＡＮ対応携帯端末に送られる広告データに、その広告を見た携帯端末ユーザが、イベントの座席の予約、特売商品の購入予約、化粧品のサンプル申し込み等の、その広告に対する反応を起こすことができる構成を持たせることができる。
【００３８】
例えば、携帯端末ユーザがその携帯端末を用いて電話をかけたときに、発信音として流される音声の広告データでは、「サンプルご希望の方は１番のボタンを押してください。」というアナウンスを挟み、携帯端末ユーザがそのアナウンスに従って１番のボタンを押せば、サンプル申し込みの意思表示となるような構成である。広告の表示がテキストや画像で行われるときには、同様に「サンプルご希望の方は１番のボタンを押してください。」のメッセージを表示すればよい。
【００３９】
携帯端末ユーザが、その無線ＬＡＮ対応携帯端末に送信された広告に対してこの様な反応をしたときには、サーバ（ズ）の反応情報送受信手段が、その反応に関する情報を受信して、広告提供者の端末にそれを送信する。広告提供者はその反応を受け取って、それに対応することにより、広告の一層の効果を期待することができる。
【００４０】
携帯端末ユーザにとっては、容易な操作で受け取った広告への反応を起こすことができるので、操作の面で、あるいは、気持ちの面で、特別の負担無く対応ができる。
【００４１】
なお、本双方向広告システムを構成するサーバ（ズ）は１台で、広告データ記録手段、ユーザ情報記録手段、マッチング手段、マッチング済み広告データ記録手段、広告データ送信手段、及び、反応情報送受信手段すべてを有しても良いし、複数台でこれら手段を分担して有しても良い。一般的には、これら各手段をそれぞれ１台のサーバが担当し、かつ、それらに付随する手段のサーバ、それらのミラーリングサーバやバックアップサーバなど数多くのサーバにより構成されることになろう。
【発明の効果】
【００４２】
以上説明したように本発明の広告システム、あるいは、それを構成するサーバ（ズ）を採用することにより、携帯端末ユーザのニーズに適合し、かつ、携帯端末ユーザが今いる場所の極く近くの場所に関連する広告をその携帯端末に送信することにより、携帯端末ユーザにとっては、興味のない広告の送信を受ける煩雑さを避け、自分が見たいと思っている、かつ、すぐに出向く等の対応可能な、有用な広告に接することができる。一方、広告提供者にとっては、それぞれの携帯端末ユーザに真に興味のある、かつ、すぐに対応可能な広告を選択的に提供できて広告の寄与度を高めることができ、かつ、一つの広告システムで送信できる広告の数が大幅に増えるので各広告提供者が負担する費用が低減でき、得られる効果に比して費用が大きく節約できる。
【００４３】
また、携帯端末ユーザのニーズに適合し、かつ、携帯端末ユーザが今いる場所の極く近くの場所に関連する広告をその携帯端末に極めて選択的に送信するにも関わらず、広告を送る側にとっては選択的に広告を流す特別な人為的操作が必要でなく、また、携帯端末ユーザにとっては広告を見るための特別な操作も必要がない。
【００４４】
さらに、その携帯端末が受信した広告内容に携帯端末ユーザが簡便に応答できる双方向性を加えた広告システム、あるいは、それを構成するサーバ（ズ）を採用することにより、携帯端末ユーザは特別の負担無く容易な操作で受け取った広告への反応を起こすことができ、その反応に適切に対応することにより、広告提供者は広告の効果を一層高めることができる。
【発明を実施するための最良の形態】
【００４５】
以下、本発明の実施の形態について図面を参照しながら説明をする。なお、本発明は係る実施の形態に限定されず、本発明の範囲内でその具体的構成に種々の変更を加えて良いことは言うまでもない。
【００４６】
図１は、本発明の広告システムの実施例１の全体を示す概念図、図２は同実施例における携帯端末ユーザのユーザ情報を登録する方法の概念図、図３は同実施例における広告提供者が行う広告データの広告データ記録手段への登録方法の概念図、図４は同実施例におけるマッチング手段や送信広告データ選別手段が行う検索及び選別の方法及びその結果選別された広告データの送信方法の概念図、図５は本発明の双方向性を持たせた広告システムである実施例２の反応情報送受信手段が行う携帯端末ユーザからの反応の送受信方法の概念図、そして、図６はこれら実施例の広告システムを構成するサーバ（ズ）の実施例３の概念図である。
【実施例１】
【００４７】
図１において、携帯端末ユーザ１はＧＰＳ機能を有する無線ＬＡＮ対応携帯端末１１（以下「携帯端末１１」と言う。）を所持して、電話基地局３がカバーし、かつ、無線ＬＡＮ基地局２が配置された街中を散策している。
彼が無線ＬＡＮ基地局２の一つ、例えば、２ａ１のホットスポット２ａ１Ｈ内に入ると、携帯端末１１に搭載された無線ＬＡＮモジュールの送信機から携帯端末１１のＩＤが発信され、ＩＤ照合が完了すると、そのホットスポット２ａ１Ｈのネットワークに接続されて無線ＬＡＮ基地局２ａ１を通じてデータのやりとりが可能になる。
【００４８】
無線ＬＡＮ基地局はそのホットスポットが半径約１００ｍと小さいので、できるだけ全域をくまなくカバーできるように、Ａ地域、例えば、東京の新橋周辺に２ａ１、２ａ２、２ａ３、・・・、Ｂ地域、例えば品川には２ｂ１、２ｂ２、・・・、Ｃ地域、例えば上野には２ｃ１，２ｃ２、・・・といった具合に複数配置されている。
【００４９】
本広告システムを有効に活用するためには、一日の利用客が多い主要駅、大型ショッピングモール、イベント会場等にも優先的に無線ＬＡＮ基地局を設けることが望まれる。
また、広告データを高速でやりとりできるように、無線ＬＡＮ基地局２はＩＥＥＥ８０２．１１ｎと同等、又は、それ以上の能力を有することが望ましく、それに対応して、携帯端末１１は８０２．１１ｎと同等、又は、それ以上の能力のモジュールを搭載することが望ましい。
【００５０】
携帯端末１１がある無線ＬＡＮ基地局のホットスポットに入りデータ送受信可能状態になるとその旨の位置情報７１ａが本広告システムのサーバ（ズ）４の携帯端末位置特定手段４１に送られる。  
一方、携帯端末１１はＧＰＳ機能を有しているから、その機能による位置情報７１ｂは最寄りの電話基地局３に定期的に送信される。この位置情報７１ｂも電話基地局３から本広告システムのサーバ（ズ）４の携帯端末位置特定手段４１に送られる。
これらの位置情報７１ａ、７１ｂに基づき携帯端末１１がある位置が携帯端末位置特定手段４１により特定され、その特定された位置情報７１ｃが、送信広告データ選別手段４６に送られる。
【００５１】
以下に詳細に説明するように、この特定された位置情報７１ｃとユーザ情報に基づいて、サーバ（ズ）４の各手段によりその携帯端末１１に送信する広告データ７６が選別され、それを広告データ送信手段４７が、今データ送受信可能になっている無線ＬＡＮ基地局２ａ１を通じて携帯端末１１に送信する。無線ＬＡＮ基地局２ａ１への送信は電話基地局３経由で行われる。
【００５２】
携帯端末１１は送信を受けた広告データ７６を記録し、かつ、新しい広告データの送信を受けたときには上書きをして随時更新する。そして、携帯端末ユーザ１が無線ＬＡＮ対応携帯端末１１を操作した際に、記録されている広告データを音声、テキスト、又は画像によって表示する。例えば、携帯端末ユーザが電話をかけたときに、その発信音として広告を流したり、ＬＣＤ画面上にテキスト又は画像としての広告を表示したり、メールの末尾にテキスト広告を挿入したりする。
【００５３】
携帯端末ユーザ１が移動して他の無線ＬＡＮ基地局２ａ２のホットスポット内に入れば、携帯端末位置特定手段４１から新たな位置情報７１ｃが送信広告データ選別手段４６に送られ、送信広告データ選別機能が働いて、必要に応じ新たな広告データ７６がその携帯端末１１に送信される。
【００５４】
携帯端末ユーザ１がいずれの無線ＬＡＮ基地局のホットスポット内にも入っていない場合には、携帯端末位置特定手段４１がＧＰＳ機能による位置情報に基づいて特定した位置に最も近い無線ＬＡＮ基地局を特定の無線ＬＡＮ基地局とみなして送信広告データ７６の選別を行う。
【００５５】
携帯端末１１に送信される広告データ７６は、あらかじめ携帯端末ユーザ１の受信を希望するジャンルの広告、あるいは、携帯端末ユーザ１がモバイル決済した情報に基づきマッチング手段４５で検索されたものであるから、携帯端末ユーザ１のニーズに適合しており、また、携帯端末ユーザ１にとっては、広告を見るために何ら特別な操作を必要としないので手間がかからず、確実に受け取ることになり、本広告システムにより送信される広告データは高い寄与度が期待できる。
【００５６】
次に、図２から図４を用いて、サーバ（ズ）４の各手段について説明する。
図２は、サーバ（ズ）４のユーザ情報記録手段４２へのユーザ情報を登録する方法の概念図である。
携帯端末ユーザ１があらかじめ携帯端末１１、手持ちのパソコン１２、あるいは、携帯電話ショップに設置される登録専用装置１３を用いて登録した受信を希望する広告のジャンルの情報（以下「希望ジャンル情報」と言う。）７２、及び、携帯端末ユーザ１がモバイル決済用端末１４によりモバイル決済した情報７３が、インターネット５１やオンラインシステム５２を経由して送られる。これらはユーザ情報受信手段４２ａにて受信され、ユーザ情報記録手段４２に記録される。そして、新たに希望ジャンル情報７２が送られてきたとき、あるいは、新たにモバイル決済情報７３が送られてきたとき、これらのユーザ情報は随時更新されている。
【００５７】
希望ジャンル情報７２は、あらかじめ定められた規則に従ってＩＤコード化される。携帯端末ユーザ１の受信を希望する広告を、広告対象のジャンル（商品、イベント、求人、等）、会社あるいはその業種、サンプル配布の有無、有料と無料の別、等により区分し、例えば、広告対象が「商品：化粧品」の場合は「０１」、提供する会社が「ＸＸ化粧品」の場合は「ａａ」、サンプル配布ありの場合は「ｂｂ」、無料の場合は「ｃｃ」、・・・とコードを付与する。この携帯端末ユーザ１の希望ジャンル情報７２は、ＩＤコード「０１ａａｂｂｃｃ・・・」の形で登録される。
【００５８】
モバイル決済情報７３は、モバイル決済を行った対象（商品やサービス）、モバイル決済をした場所（店舗や会場）、等により、上記の希望ジャンル情報７２と同じ規則に従ったコードを用いてＩＤコード化される。なお、個人情報保護の観点から、モバイル決済の情報を本発明の広告システムのサーバ（ズ）に自動的に送ることの可否に関し、携帯端末ユーザ１にあらかじめ選択権を与える必要があろう。
【００５９】
ユーザ情報７２、７３は、ユーザ情報受信手段４２ａで受信され、ユーザ情報記録手段４２に送られて記録される。新しい希望ジャンル情報７２が送られてきたときには、すでに記録されているユーザ情報は上書きされ、新しいモバイル決済情報７３が送られてきたときには、すでに記録されているユーザ情報に追加される。
【００６０】
ユーザ情報受信手段４２ａとユーザ情報記録手段４２は、それぞれ１台のサーバで構成しても良いし、両手段をまとめて１台のサーバで構成しても良い。さらに、以下に説明する他の手段も含めて１台のサーバで構成しても良い。
【００６１】
図３は、サーバ（ズ）４の広告データ記録手段４３への登録の方法の概念図である。
広告提供者、例えば、外食産業６１ａ、店舗６１ｂ、旅行会社６１ｃ、社員募集者６１ｄ、等々からの広告依頼が広告代理店６２に寄せられ、それを受けて広告代理店は音声、テキスト、画像等の広告データ７４を作成し、パソコン６３からオンラインシステム６４を経由して本広告システムのサーバ（ズ）４に送る。
【００６２】
広告データ７４は、広告データ受信手段４３ａで受信され、広告データ記録手段４３に送られて記録される。広告データ受信手段４３ａと広告データ記録手段４３がそれぞれ１台のサーバで構成されても良いし、１台のサーバの中の一部として構成されても良いのはユーザ情報記録手段４２と同様である。
【００６３】
記録される広告データ７４には、それぞれＩＤコードが付与され、広告データとともに記録される。
広告データに付与されるＩＤデータは、希望ジャンル情報７２と同じ規則に従ったコードを用いて、広告対象のジャンル（商品、イベント、求人、等）、会社あるいはその業種、サンプル配布の有無、有料と無料の別、等により構成される。例えば、広告対象が「商品：化粧品」の場合は「０１」、提供する会社が「ＸＸ化粧品」の場合は「ａａ」、サンプル配布ありの場合は「ｂｂ」、無料の場合は「ｃｃ」、・・・であり、この広告データに付与されるＩＤコードは「０１ａａｂｂｃｃ・・・」となる。
【００６４】
さらに、広告提供者６１は、その広告をどの地域に存在する携帯端末１１に送信したいかを特定する。特定の方法は種々考えられるが、本実施例では、どの無線ＬＡＮ基地局から送信するかを決めることによって特定する。
図１の「Ａ地域の２ａ１のみ」とか、「Ａ地域の２ａ１、及び、それに隣接するＡ地域の２ａ２、２ａ３とＢ地域の２ｂ１」といった形で送信すべき無線ＬＡＮ基地局を指定する方法である。この送信すべき地域の指定も上記の広告データ７５に付与されるＩＤコードの一部を構成する。
【００６５】
図４は、サーバ（ズ）４のマッチング手段や送信広告データ選別手段が行う検索及び選別の方法及びその結果選別された広告データの送信方法の概念図である。
サーバ（ズ）４のマッチング手段４４は、広告データ記録手段４３に記録されている広告データ７４の中から、ユーザ情報記録手段４２に記録されている希望ジャンル情報７２、あるいは、モバイル決済情報７３に関連するものを検索する。本実施例においては、広告データ７４、希望ジャンル情報７２、及び、モバイル決済情報７３には同じ規則に従ったコードを用いたＩＤコードがそれぞれ付与されているから、それらを突き合わせて一致するものを選び出せばよい。
【００６６】
マッチング手段４４は、ユーザ情報記録手段４３に記録されたユーザ情報７２、７３が更新されるたびに、あるいは、更新されない場合はあらかじめ定めた一定期間毎に、広告データ記録手段４３に記録されている広告データ７４の中から、それらユーザ情報にマッチングするものを検索する。
【００６７】
ここで、ユーザ情報７２、７３が更新されない場合に一定期間毎に検索を行うのは、広告データ記録手段４３に記録される広告データ７４が時間の経過とともに変化するので、新しい広告データ７４に基づいて、検索するためである。
この様にしてマッチング手段４４で検索されたマッチング済みの広告データ７５は、マッチング済み広告データ記録手段４５に記録される。
【００６８】
携帯端末ユーザ１が移動して新しい無線ＬＡＮ基地局のホットスポット、例えば、無線ＬＡＮ基地局２ａ１のホットスポット２ａ１Ｈに入ると、データ送受信が可能になった旨の位置情報７１ａは携帯端末位置特定手段４１に送られて、携帯端末の位置が特定され、その特定された位置情報７１ｃが送信データ選別手段４６に送られる。
【００６９】
送信広告データ選別手段４６はこの特定された位置情報７１ｃに基づいて、マッチング済み広告データ記録手段４５に記録されている広告データ７５の中から特定された携帯端末の位置に関連する広告、本実施例の場合には、送信すべき無線ＬＡＮ基地局として「２ａ１」をＩＤコードの一部として付与された広告データ７６を選別して、広告データ送信手段４７に送る。
【００７０】
ユーザ情報７２、７３に基づいてマッチングを終えた広告データ７５をマッチング済み広告データ記録手段４５に一旦記録しておくことにより、位置の情報に基づいて送信すべき広告データを選別する送信広告データ選別手段４６での作業を短時間で行うことができ、携帯端末ユーザ１がある特定の無線ＬＡＮ基地局のホットスポット内にいるわずかな時間の中でタイミング良く適切な広告データを携帯端末１１に送信することができる。
【００７１】
携帯端末ユーザ１がいずれの無線ＬＡＮ基地局のホットスポットにも入っていない場合には、携帯端末位置特定手段４１はＧＰＳ機能による位置情報７１ｂに基づいて特定した位置に最も近い無線ＬＡＮ基地局、例えば「２ａ２」を特定し、送信すべき無線ＬＡＮ基地局として「２ａ２」をＩＤコードの一部として付与された広告データを検索して、広告データ送信手段４７に送る。
【００７２】
サーバ（ズ）４の広告データ送信手段４７から、選別された広告データ７６が電話基地局３に送られる。この際にその携帯端末１１の位置情報７１ｃに対応した電話基地局、例えば、電話基地局３ａを経由して該当する無線ＬＡＮ基地局２ａ１に送られ、そのホットスポット２ａ１Ｈ内に存在する携帯端末１１に選択的に送信される。
【００７３】
ここで、広告データ送信手段４７から電話基地局３への送信は移動体通信電波を用いた、あるいは、光ファイバーなどの有線を経由する電話基地局ネットワーク５３を用いて行われ、また、電話基地局３から無線ＬＡＮ基地局２への送信は光ファイバーなど有線を経由して行われることになろう。
【００７４】
以上の説明でわかるように、本広告システムを用いることにより、携帯端末ユーザ１のニーズに適合し、かつ、携帯端末ユーザが今いる場所をカバーする無線ＬＡＮ基地局２ａ１に関連する広告を極めて選択的に、かつ、容易に送信することができる。
【００７５】
なお、マッチング手段４４、マッチング済み広告データ記録手段４５、及び、広告データ送信手段４７がそれぞれ１台のサーバで構成されても良いし、１台のサーバの中の一部として構成されても良いのはユーザ情報記録手段４２や広告データ記録手段４３と同様である。
【実施例２】
【００７６】
実施例２は、上述の広告システムに双方向性を加味したシステムである。
実施例１で説明したユーザ情報記録手段４２への登録の方法、広告データ記録手段４３への登録方法、マッチング手段４４が行う検索の方法、携帯端末位置特定手段４１の位置の特定の方法、送信広告データ選別手段４６が行う選別の方法、及び、広告データ送信手段４７が行う広告データの送信方法等は、実施例２でも同じであるから、加味された部分である反応情報送受信手段４６が行う携帯端末ユーザ１からの反応７７の送受信方法を図５を用いて説明する。
【００７７】
携帯端末ユーザ１が携帯端末１１を用いて電話をかけたときに、発信音に替えて流される音声の広告データが、本実施例の広告システムから送信され、携帯端末１１に記録されている。その広告データの中には「サンプルご希望の方は１番のボタンを押してください。」と言うアナウンス、あるいは、メッセージが挿入されており、携帯端末ユーザ１がそのアナウンスに従って「１番のボタン」１１ａを押すと、サンプル申し込みの意思表示となる場合を考える。これが送信を受けた広告データに対する携帯端末ユーザの反応情報７７である。
【００７８】
携帯端末ユーザの反応情報７７は、その携帯端末が今ある場所をカバーするホットスポットを有する無線ＬＡＮ基地局、例えば２ａ１、あるいは、その近傍の電話基地局３ａを経由し、サーバ（ズ）４ａの反応情報送受信手段４８に送られ、そこからオンラインシステム６４を用いて広告提供者の有する端末６５に送信される。
【００７９】
携帯端末ユーザ１の反応情報７７を受けて、広告提供者は直ちに適切な対応をとることができ、広告の効果を一層高めることができる。
【実施例３】
【００８０】
上記の説明でわかるように、各手段はそれぞれ１台のサーバで構成しても良いし、いくつかの手段をまとめて１台のサーバで構成しても良い。
実際には、システムの規模や安定性の向上の観点から、バックアップも含めた数多くのサーバ群から構成することになろう。図６ではユーザ情報記録手段４２を例として、実際に採用されるであろうサーバ群の構成を説明する。
【００８１】
携帯端末ユーザの希望ジャンル情報７２、及び、モバイル決済情報７３はユーザ情報受信手段４２ａである１台のサーバ８１で受信され、ユーザ情報記録手段４２である他の１台のサーバ８２に送られて記録されると同時に、そのサーバ８２のミラーとなる他の１台のサーバ８３にも送られて記録される。さらに、サーバ８２，及び、サーバ８３の予備としてバックアップサーバ８４が配置される。
【００８２】
各手段ともこの様なサーバ群の構成を取ることにより、大量の広告データを安定して、確実に送信するシステムを構築できる。
【産業上の利用可能性】
【００８３】
これからますます増加が期待される携帯端末ユーザのニーズに適合し、携帯端末が今まさに存在する位置に応じた広告を送信する費用対効果が優れた広告システムとして、広く利用される。
【図面の簡単な説明】
【００８４】
【図１】本発明の広告システムの実施例１の全体を示す概念図である。
【図２】同実施例における携帯端末ユーザのユーザ情報を登録する方法の概念図である。
【図３】同実施例における広告提供者が行う広告データの広告データ記録手段への登録方法の概念図である。
【図４】同実施例におけるマッチング手段や送信広告データ選別手段が行う検索及び選別の方法及びその結果選別された広告データの送信方法の概念図である。
【図５】本発明の双方向性を持たせた広告システムである実施例２の反応情報送受信手段が行う携帯端末ユーザからの反応の送受信方法の概念図である。
【図６】これら実施例の広告システムを構成するサーバ（ズ）の実施例３の概念図である。
【符号の説明】
【００８５】
１      携帯端末ユーザ
２、２ａ１、２ａ２、・・・、２ｂ１、２ｂ２・・・、２ｃ１、２ｃ２、・・・
無線ＬＡＮ基地局
２ａ１Ｈ    無線ＬＡＮ基地局２ａ１のホットスポット
３、３ａ、３ｂ、３ｃ    電話基地局
４、４ａ    サーバ（ズ）
１１      携帯端末
１１ａ    １番のボタン
１２      携帯端末ユーザのパソコン
１３      登録専用装置
１４      モバイル決済用端末
４１      携帯端末位置特定手段
４２      ユーザ情報記録手段
４２ａ    ユーザ情報受信手段
４３      広告データ記録手段
４３ａ    広告データ受信手段
４４      マッチング手段
４５      マッチング済み広告データ記録手段
４６      送信広告データ選別手段
４７      広告データ送信手段
４８      反応情報送受信手段
５１      インターネット
５２      オンラインシステム
６１ａ、６１ｂ、６１ｃ、６１ｄ    広告提供者
６２      広告代理店
６３      広告代理店の端末
６４      オンラインシステム
６５      広告提供者の有する端末
７１ａ、７１ｂ、７１ｃ    位置情報
７２      希望ジャンル情報
７３      モバイル決済情報
７４      広告データ
７５      マッチング済み広告データ
７６      選別された広告データ
７７      反応情報
８１      ユーザ情報受信手段のサーバ
８２      ユーザ情報記録手段のサーバ
８３      そのミラーサーバ
８４      バックアップサーバ
【図１】
0004729666.tif 000002
【図２】
0004729666.tif 000003
【図３】
0004729666.tif 000004
【図４】
0004729666.tif 000005
【図５】
0004729666.tif 000006
【図６】
0004729666.tif 000007